(57)【要約】【課題】傘において反転姿勢になっても塑性変形することがなく、また反転姿勢から正常姿勢へ容易に復元できるようにする。【解決手段】軸柄２の上端側に固定された上ろくろ３と、この上ろくろ３より下方の軸柄２に上下移動自在に取り付けられた下ろくろ４と、前記上ろくろ３に枢着される親骨６と、前記下ろくろ４と親骨６の中途部とに両端が枢着されている支骨７とを有しており、前記親骨６が上ろくろ３を中心に放射状に広がる開傘状態と前記親骨６が軸柄２に平行に畳まれる閉傘状態とに切り替え自在とされた傘において、  前記上ろくろ３より親骨６の先端側が下方に位置する正常な開傘姿勢と、上ろくろ３より親骨６の先端側が上方に位置する反転した開傘姿勢との間で姿勢変更を許容するように、前記親骨６が可撓性の合成樹脂線材で形成されている。【選択図】図１
0003132596.tif 000002
【実用新案登録請求の範囲】
【請求項１】
軸柄の上端側に固定された上ろくろと、この上ろくろより下方の軸柄に上下移動自在に取り付けられた下ろくろと、前記上ろくろに枢着される親骨と、前記下ろくろと親骨の中途部とに両端が枢着されている支骨とを有しており、前記親骨が上ろくろを中心に放射状に広がる開傘状態と前記親骨が軸柄に平行に畳まれる閉傘状態とに切り替え自在とされた傘において、
前記上ろくろより親骨の先端側が下方に位置する正常な開傘姿勢と、上ろくろより親骨の先端側が上方に位置する反転した開傘姿勢との間で姿勢変更を許容するように、前記親骨が可撓性の合成樹脂線材で形成されていることを特徴とする傘。
【請求項２】
前記親骨が断面視略円形の合成樹脂線材で形成されており、前記親骨の略中間に外挿状態で固着されると共に前記支骨を枢着している枢着部材が設けられていることを特徴とする請求項１に記載の傘。
【請求項３】
前記親骨は前記枢着部材より軸柄側で複数に分岐した一対の枝骨を有しており、それぞれの枝骨は上ろくろの互いに異なる位置に連結されていることを特徴とする請求項２に記載の傘。
【請求項４】
前記親骨は、上ろくろに枢着される内骨と、前記内骨の先端側に第１枢着部を介して連結される中骨と、前記中骨の先端側に第２枢着部を介して連結される外骨とを有しており、
前記第１枢着部または第２枢着部のいずれか一方が１８０°以上に開動可能とされていることを特徴とする請求項１に記載の傘。
【考案の詳細な説明】
【技術分野】
【０００１】
本考案は、傘、より具体的には風に煽られて反転した開傘姿勢になっても正常な開傘姿勢に容易に復帰することのできる傘に関するものである。
【背景技術】
【０００２】
一般的な傘としては、例えば特許文献１に示すようなものが知られている。この傘は、上下方向に沿って設けられる軸柄と、この軸柄の上端側に固定された上ろくろと、この上ろくろより下方の軸柄に上下移動自在に取り付けられた下ろくろと、上ろくろに枢着されると共に中途側に枢着部材が設けられる複数の親骨と、下ろくろに基端が枢着され先端がそれぞれ枢着部材に枢着されている複数の支骨と、隣り合う親骨の間に張設される傘布を有している。
前記傘を開傘する場合は、上ろくろに対して下ろくろを下方から近接させると、前記親骨が上ろくろを中心に放射状に広がり傘布が延伸されて開傘状態となる。一方、傘を閉傘する場合は、上ろくろから下ろくろを下方に離間させると、親骨が軸柄に平行に垂れ下がって傘布が折り畳まれて閉傘状態となる。
【０００３】
また、前記傘においては、一般的には逆U字状の断面を有する金属線材の親骨が用いられ、正常な姿勢で開傘した場合は、上ろくろより親骨の先端側（露先）が下方に位置するように開き、傘布が上ろくろを頂点とする略ドーム状に開き、雨水を傘布に沿って落とせるようになっている。
【特許文献１】特開２００６−１４７５８号公報
【考案の開示】
【考案が解決しようとする課題】
【０００４】
特許文献１の親骨に用いられる金属線材には、金属製の帯板を逆Ｕ字状に折り曲げて形成された線材や金属製の棒材が用いられている。そのため、この親骨は上下方向に変形しにくく、この親骨を用いた傘は多少の風雨に煽られても正常な開傘姿勢を維持しやすい。
しかしながら、傘が強い風に煽られて傘布から大きな力が加わると、前記金属線材（逆Ｕ字状の断面を有する金属線材または金属製の棒材）で親骨を形成しても、親骨が折れ曲がって傘が反転姿勢になることがある。このように傘の開傘姿勢が正常な姿勢から反転した姿勢に切り替わる際には、親骨に大きな力が作用して親骨が塑性変形してしまう。そのため、特許文献１の傘では一旦反転した開傘姿勢になると、正常な姿勢に復元できなくなる。また、強引に正常な姿勢に復元しても、一度でも反転するとそれ以降の使用には耐えられなくなるという問題があった。
【０００５】
本考案は、このような問題に鑑みて為されたものであって、風雨に煽られて反転した開傘姿勢になっても親骨が塑性変形することがないので、一旦反転した開傘姿勢になっても正常な開傘姿勢に容易に復元したり繰り返し使用したりすることが可能な傘を提供することを目的とする。
【課題を解決するための手段】
【０００６】
前記目的を達成するため、本考案は次の技術的手段を講じている。
即ち、軸柄の上端側に固定された上ろくろと、この上ろくろより下方の軸柄に上下移動自在に取り付けられた下ろくろと、前記上ろくろに枢着される親骨と、前記下ろくろと親骨の中途部とに両端が枢着されている支骨とを有しており、前記親骨が上ろくろを中心に放射状に広がる開傘状態と前記親骨が軸柄に平行に畳まれる閉傘状態とに切り替え自在とされ、
前記上ろくろより親骨の先端側が下方に位置する正常な開傘姿勢と、上ろくろより親骨の先端側が上方に位置する反転した開傘姿勢との間で姿勢変更を許容するように、前記親骨が可撓性の合成樹脂線材で形成されている。
【０００７】
この技術的手段によれば、親骨が可撓性の合成樹脂線材で形成されているため、親骨が塑性変形することなく正常な開傘姿勢と反転した開傘姿勢との間で姿勢変更を許容する。そのため、風雨に煽られて反転した開傘姿勢になっても親骨が塑性変形することがないので、一旦反転した開傘姿勢になっても正常な開傘姿勢に容易に復元したり繰り返し使用したりすることが可能となる。
なお、前記親骨が断面視略円形の合成樹脂線材で形成されており、前記親骨の略中間に枢着部材が外挿状態で固着されているのが好ましい。
【０００８】
また、前記親骨は前記枢着部材より軸柄側で複数に分岐した一対の枝骨を有しており、それぞれの枝骨は上ろくろの互いに異なる位置に連結されているのがさらに好ましい。
さらに、前記親骨は、上ろくろに枢着される内骨と、前記内骨の先端側に第１枢着部を介して連結される中骨と、前記中骨の先端側に第２枢着部を介して連結される外骨とを有しており、前記第１枢着部または第２枢着部のいずれか一方が１８０°以上に開動可能とされている。
この技術的手段によれば、親骨は第１枢着部材または第２枢着部材のいずれか一方が１８０°以上に開動可能とされているため、反転した開傘姿勢において親骨にかかる力を第１枢着部または第２枢着部が吸収し、親骨が塑性変形することなく正常な開傘姿勢と反転した開傘姿勢との間で姿勢変更が許容される。そのため、風雨に煽られて反転した開傘姿勢になっても親骨が塑性変形することがなく、一旦反転した開傘姿勢になっても正常な開傘姿勢に容易に復元したり繰り返し使用したりすることが可能となる。
【考案の効果】
【０００９】
本考案の傘によれば、風雨に煽られて反転した開傘姿勢になっても親骨が塑性変形することがないので、一旦反転した開傘姿勢になっても正常な開傘姿勢に容易に復元したり繰り返し使用したりすることが可能となる。
【考案を実施するための最良の形態】
【００１０】
以下、本考案に係る傘１の実施の形態を説明する。
本考案の傘１は、傘を開いた開傘状態と傘を閉じた閉傘状態とに切り替え自在とされている。そこで、まず開傘状態の傘１の構成を以下に説明する。
なお、以降の説明において、図１の上側を上端側（上方）、下側を下端側（下方）とする。また、親骨６の軸柄２の中心に近い側（内周側）を基端側、遠い側を先端側とする。
図１に示す開傘状態において、本考案の傘１は、上下に長い軸柄２と、軸柄２の上端側に固定された上ろくろ３と、この上ろくろ３より下方の軸柄２に上下移動自在に取り付けられた下ろくろ４と、上ろくろ３に枢着されると共に中途側に枢着部材５が設けられる親骨６と、下ろくろ４と枢着部材５とに端部が枢着されている支骨７とを有している。
【００１１】
軸柄２は金属製、木製、または合成樹脂製の棒材である。軸柄２の上端側には石突き８が配備されており、下端側には手元部９が嵌着されている。手元部９は、手で握りやすく取っ手などにも掛けやすいようにＵ字状に曲げられている。
上ろくろ３は円筒状に形成されており、円筒の中央部を軸柄２が上下方向に貫通している。上ろくろ３は石突き８の下方で軸柄２に固定されている。上ろくろ３の外周面には親骨６が複数枢着されている。
下ろくろ４は上ろくろ３と同様に円筒状に形成されており、円筒の中央部を軸柄２が上下方向に貫通している。下ろくろ４は上ろくろ３より下方に設けられており、軸柄２に沿って上下移動自在とされている。
【００１２】
下ろくろ４は上下に分かれた上部材４ａと下部材４ｂを有しており、上部材４ａと下部材４ｂはバネ４ｃを介して上下方向に近接離反自在に連結されている。上部材４ａの外周面には支骨７が枢着されており、下部材４ｂの外周面には子骨１０が枢着されている。
親骨６は、基端側端部が上ろくろ３に枢着されており、先端側端部が上ろくろ３を中心として開傘状態で放射状に伸びるように設けられている。親骨６は、上ろくろ３を中心として隣り合った親骨６同士が軸柄２を中心として等しい角度を為すように配置されている。なお、本実施形態では親骨６は８本設けられている。
【００１３】
親骨６の先端側には露先１１が取り付けられており、中途側には枢着部材５が設けられている。また、親骨６の上方には開傘状態の親骨６の形状に合わしてドーム状に形成された傘布１２が備えられている。また、枢着部材５には支骨７の先端側端部が枢着されている。
支骨７は、親骨６と同じ本数が設けられている。支骨７は基端側端部が下ろくろ４に枢着されており、先端側端部が枢着部材５に枢着されている。支骨７の中途部には支持部材１３が設けられており、支持部材１３には子骨１０の先端側端部が枢着（支持）されている。
【００１４】
図２に示されるように、枢着部材５は、親骨６の軸方向に長い中空な筒状に形成されており、内部には親骨６が内挿されている。枢着部材５の軸方向の中途部には、互いに略平行な一対の係止突起１６、１６が形成されており、それぞれの係止突起１６、１６の間には係止ピン１７が架設されている。この係止ピン１７には支持骨７の先端側が枢支されている。
支骨７は、先端側の端部に係止カバー１８を有している。係止カバー１８の先端は、一対の前記係止突起１６、１６の間に挿入可能な幅に加工されている。また、係止カバー１８の先端には係止ピン１７を挿通する挿通孔１９が形成されており、係止ピン１７は支骨７を枢着部材５に対して揺動自在に枢着している。
【００１５】
軸柄２には上下に上はじき１４、下はじき１５が備えられている。上はじき１４及び下はじき１５は、軸柄２から出退自在とされており、人為操作によって下ろくろ４の係止保持又は係止状態の解除を可能としている。上はじき１４は親骨６を開傘姿勢に保持すべく下ろくろ４を軸柄２の上方位置で係止し、下はじき１５は親骨６を閉傘姿勢に保持すべく下ろくろ４を軸柄２の下方位置で係止する。
傘布１２は、互いに隣接する親骨６の間に張設されている。傘布１２は、防水性の合成繊維で略ドーム状に形成されている。
【００１６】
図３に示されるように、傘１の閉傘姿勢にするには、上はじき１４の係止を解除し下ろくろ４を軸柄２に沿って下降させ、軸柄２の下方位置に設けられた下はじき１４に係止する。下ろくろ４を軸柄２に沿って上方から下方に移動させると、下ろくろ４に連結された支骨７の基端側端部が下方に移動し、基端側端部の下方移動に連動して支骨７の先端側に連結されている枢着部材５も下方に移動する。そのため、親骨６は上ろくろ３（基端側）を中心に下方に揺動し、親骨６同士の相対距離が縮まり張設されていた傘布１２が折り畳まれて閉傘姿勢になる。
【００１７】
本考案の傘１は、開傘状態において、上ろくろ３より親骨６の先端側が下方に位置する正常な開傘姿勢（図１に示される状態）と、上ろくろ３より親骨６の先端側（露先１１）が上方に位置する反転した開傘姿勢（以下の図４に示される状態）との間で姿勢変更が可能とされている。
図４に示されるように、前記反転した開傘姿勢においては、親骨６の基端側は上ろくろ３に枢着され、その中途部は下方に湾曲し、その先端側は上ろくろ３より上方に位置している。そのため、親骨６には中途部を下方に向かって撓める方向に過大な力が作用する。
【００１８】
そこで、親骨６にかかる過大な力を支えて正常な開傘姿勢と反転した開傘姿勢との間で姿勢変更を許容するように、前記親骨６は基端側から先端側まで１本の断面視略円形の合成樹脂線材で形成されている。この合成樹脂線材には、高い可撓性を備えるグラスファイバやカーボンファイバなどの強化プラスチック製線材が用いられる。また、前記親骨６の長手方向の略中間には枢着部材５が外挿状態で設けられている。
前記親骨６を構成する線材を断面視略円形にする（丸棒にする）ことで、親骨６はいずれの径方向にも変形可能となる。また、前記親骨６を基端側から先端側まで１本の線材とすることで、複数の線材が継合している場合より親骨６にかかる力を線材の軸方向全域で均等に支えることができる。そのため、親骨６を基端側から先端側まで１本の断面視略円形の合成樹脂線材で形成することで、正常状態と反転状態との間での親骨６の塑性変形が抑制乃至防止され、風雨に煽られて反転状態になっても再度正常状態に容易に復帰させることができ、傘１を使用し続けることが可能となる。
また、前記枢着部材５は親骨６の略中間に外挿状態で固着されているため、例えば親骨６を分割式にしたときのように親骨６の一部分に過大な力が働くことが抑制され、親骨６の塑性変形や破損が抑制乃至防止される。
【００１９】
［第２実施形態］
図５を用いて、第２実施形態の傘１を説明する。
第２実施形態の傘１が第１実施形態と異なる点は、前記親骨６が枢着部材５より軸柄２側で複数に分岐して上ろくろ３のそれぞれ異なる位置に連結されている点にある。なお、第２実施形態では親骨６が２つに分岐しているものを例示している。
【００２０】
前記枢着部材５より基端側（軸柄２側）の親骨６は、一対の枝骨２０、２０に分岐している。枝骨２０は、周方向の幅に比べて上下方向の厚みが厚い板状であり、基端側は枢着部材５に挿着されている。前記枝骨２０の先端側は上ろくろ３の外周面の異なる位置に枢着されている。
第２実施形態の傘１においては、前記枢着部材５より基端側の親骨６が一対の枝骨２０、２０に分岐して、分岐された枝骨２０、２０のそれぞれで親骨６に働く力を二分して支える構造となっているため、親骨６が正常状態から反転状態になった際に過大な力が作用しても、親骨６が破壊されることが抑制乃至防止される。
【００２１】
［第３実施形態］
図６、図７を用いて、第３実施形態の傘１を説明する。
第３実施形態の傘１が第１実施形態と異なる点は、前記親骨６が上ろくろ３に枢着される内骨６ａと、前記内骨６ａの先端側に第１枢着部材５ａを介して連結される中骨６ｂと、前記中骨６ｂの先端側に第２枢着部材５ｂを介して連結される外骨６ｃとを有しており、さらに前記第１枢着部材５ａまたは第２枢着部材５ｂのいずれか一方が１８０°以上に開動可能とされている点である。なお、第３実施形態では第１枢着部材５ａが１８０°以上に開動可能とされているものを例示している。
図６にあるように、前記親骨６は、内骨６ａと中骨６ｂと外骨６ｃとを連結して構成されている。内骨６ａは基端側が上ろくろ３に枢着され、先端側が中骨６ｂに連結されている。中骨６ｂは先端側が外骨６ｃの基端側に連結されている。前記内骨６ａと中骨６ｂの間には第１枢着部５ａが設けられており、また中骨６ｂと外骨６ｃの間には第２枢着部５ｂが設けられている。
【００２２】
図７に示すように、第１枢着部５ａは、支骨７の中途部に一方の端部が枢支される連結杆２１を有しており、前記連結杆２１の他方の端部は枢着される中骨６ｂの基端側に連結されている。前記連結杆２１は内骨６ａと一定の距離をあけて（略平行に）設けられており、内骨６ａと中骨６ｂの連結箇所に加わる力の一部を連結杆２１で支える構造となっている。
第１枢着部５ａは、言い換えれば、支骨７と内骨６ａと中骨６ｂと連結杆２１とで構成される平行ジョイント式であり、第１枢着部５ａを平行ジョイント式とすることで内骨６ａと中骨６ｂの連結を強固なものとしている。また、第１枢着部５ａは、複数の枢支点で内骨６ａと中骨６ｂを連結しているため、単に内骨６ａと中骨６ｂを１点で枢支・連結した場合に比べて連結部分の柔軟性に優れている。そのため、第１枢着部材５ａは１８０°以上に開動可能となる。
【００２３】
前記第１枢着部５ａ又は第２枢着部材５ｂのいずれか一方に平行ジョイント式の連結構造を設けることで、単に内骨６ａと中骨６ｂを１点で枢支・連結した場合に比べて連結を強固かつ柔軟性に優れたものにでき、親骨６が塑性変形を起こしにくくなるため、親骨６が正常状態から反転状態になった際に過大な力が作用しても、親骨６が破壊されることが抑制乃至防止される。
本考案は上記実施形態に限定されるものではなく、考案の本質を変更しない範囲で各部材の形状、構造、材質、組み合わせなどを適宜変更可能である。
【００２４】
例えば、上記実施形態は親骨６が８本の傘１について例示していたが、本考案の傘１は親骨６が８本以外の本数設けられる傘についても利用することができる。
また、上記実施形態においてはいわゆるジャンプ傘や折り畳み傘を例示していたが、本考案の傘１はこうもり傘、ビニール傘またはビーチパラソルなどにも用いることができる。
【図面の簡単な説明】
【００２５】
【図１】第１実施形態の傘の開傘状態における正面図である。
【図２】同傘の枢着部材周辺を拡大して示した図である。
【図３】同傘の閉傘状態における側面断面図である。
【図４】同傘の反転した開傘姿勢の側面断面図である。
【図５】第１実施形態の傘を上方から見た一部断面平面図である。
【図６】第２実施形態の傘の開傘状態における正面図である。
【図７】同傘の第１枢着部を拡大して示した図である。
【符号の説明】
【００２６】
１    傘
２    軸柄
３    上ろくろ
４    下ろくろ
５    枢着部材
５ａ  第１枢着部材
５ｂ  第２枢着部材
６    親骨
６ａ  内骨
６ｂ  中骨
６ｃ  外骨
７    支骨
１０  子骨
１３  支持部材
【図１】
0003132596.tif 000003
【図２】
0003132596.tif 000004
【図３】
0003132596.tif 000005
【図４】
0003132596.tif 000006
【図５】
0003132596.tif 000007
【図６】
0003132596.tif 000008
【図７】
0003132596.tif 000009